(57)【要約】【課題】気液接触部材の奥行を抑えつつ、気液接触部材における空気と電解水との接触効率を向上させることができる空気除菌装置を提供する。【解決手段】孔部６３及び７３からなる通風孔が横並びに形成された気液接触部材５と、この気液接触部材５に、水を電気分解して得た活性酸素種を含む電解水を供給し、当該気液接触部材５の通風孔に室内の空気を通風して室内に吹き出す空気除菌機構１２とを備え、通風孔を、上流側の孔部６３から下流側の孔部７３へとステップ状に大きく変化する孔形状にした。【選択図】図７
2007222543.tif 000002
【特許請求の範囲】
【請求項１】
貫通する孔部が横並びに形成された気液接触部材と、
この気液接触部材に、水を電気分解して得た活性酸素種を含む電解水を供給し、当該気液接触部材の前記孔部に室内の空気を通風して室内に吹き出す空気除菌機構とを備え、
前記孔部は、当該孔部の通風方向のいずれかの位置でその大きさが変化する孔形状であることを特徴とする空気除菌装置。
【請求項２】
前記孔部は、当該孔部の通風方向のいずれかの位置でその大きさがステップ状に変化して乱流を発生させる孔形状であることを特徴とする請求項１に記載の空気除菌装置。
【請求項３】
前記孔部は、当該孔部を通過する空気の上流側よりも下流側の方が大きいことを特徴とする請求項１又は２に記載の空気除菌装置。
【請求項４】
前記気液接触部材は、所定のピッチで波状に屈曲する波状部材を横並びに配置した第１接触部材と、前記ピッチと異なるピッチで波状に屈曲する波状部材を横並びに配置した第２接触部材とを有し、前記１接触部材と前記第２接触部材とを縦並びに配置したことを特徴とする請求項１乃至３のいずれかに記載の空気除菌装置。
【請求項５】
前記波状部材は、電解水が浸透する素材で形成されていることを特徴とする請求項４に記載の空気除菌装置。
【発明の詳細な説明】
【技術分野】
【０００１】
本発明は、細菌、ウィルス、真菌等の空中浮遊微生物（以下、ウィルス等という）の除菌が可能な空気除菌装置に関する。
【背景技術】
【０００２】
一般に、ウィルス等の除菌を目的として、空気中に電解水ミストを拡散させて、この電解水ミストをウィルス等に直接接触させ、ウィルス等を不活化する空気除菌装置が提案されている（例えば、特許文献１参照）。
【特許文献１】特開２００１−０３３０７０号公報
【発明の開示】
【発明が解決しようとする課題】
【０００３】
しかし、従来の空気除菌装置は、微粒子状の電解水ミストが到達しやすい使用環境下、すなわち、比較的小空間では効力を発揮するものの、電解水ミストが到達し難い使用環境下、すなわち、大空間、例えば幼稚園、小学校、中学校及び高等学校や、介護保険施設や、病院等では効力を発揮し難いという問題がある。
【０００４】
これを解消するため、保水性を有し、図８に示すように通風孔８３が貫通する二層構造の気液接触部材１０５を設け、水道水を電気分解して得た電解水を気液接触部材１０５に浸透させ、シロッコファン等の送風ファンによって、気液接触部材１０５に大空間の空気を矢印Ｆ１に示すように送風し、この空気を通風孔８３に送って電解水に接触させることにより、空気中に含まれるウィルス等やアレルギー物質を除菌する空気除菌装置が出願人によって提案されている。
【０００５】
このような空気除菌装置の気液接触部材では、気液接触部材における空気と電解水との接触効率を向上させることにより、より良い除菌効果が得られる。これを実現するために、気液接触部材の奥行を延ばしたり、通風孔を小さくすることによって接触面積を拡大する方法が考えられるが、いずれも気液接触部材が大型化してしまったり、圧力損失が極めて大きくなってしまう等の問題が生じてしまう。
【０００６】
本発明は、上述した事情に鑑みてなされたものであり、気液接触部材の奥行を抑えつつ、気液接触部材における空気と電解水との接触効率を向上させることができる空気除菌装置を提供することにある。
【課題を解決するための手段】
【０００７】
本発明は、貫通する孔部が横並びに形成された気液接触部材と、この気液接触部材に、水を電気分解して得た活性酸素種を含む電解水を供給し、当該気液接触部材の前記孔部に室内の空気を通風して室内に吹き出す空気除菌機構とを備え、前記孔部は、当該孔部の通風方向のいずれかの位置でその大きさが変化する孔形状であることを特徴とする。
【０００８】
この場合において、前記孔部は、当該孔部の通風方向のいずれかの位置でその大きさがステップ状に変化して乱流を発生させる孔形状であってもよい。前記孔部は、当該孔部を通過する空気の上流側よりも下流側の方が大きくてもよい。前記気液接触部材は、所定のピッチで波状に屈曲する波状部材を横並びに配置した第１接触部材と、前記ピッチと異なるピッチで波状に屈曲する波状部材を横並びに配置した第２接触部材とを有し、前記１接触部材と前記第２接触部材とを縦並びに配置してもよい。前記波状部材は、電解水が浸透する素材で形成されていてもよい。
【発明の効果】
【０００９】
本発明では、気液接触部材の孔部の大きさが、孔部の通風方向のいずれかの位置でその大きさが変化する孔形状であることにより、気液接触部材の奥行を抑えつつ、気液接触部材における空気と電解水との接触効率を向上させることができる。
【発明を実施するための最良の形態】
【００１０】
以下、図面を参照して本発明の実施の形態について説明する。
床置き式空気除菌装置１を図１に示す。この床置き式空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。また、前パネル２Ｂの左側上部には、各種情報を報知するための複数のＬＥＤ５０を備える報知パネル３９が配置されている。
この筐体２の下部には、図２に示すように、吸込口３が配置され、この吸込口３の上方にはプレフィルタ３Ａが配置されている。このプレフィルタ３Ａの上方には送風ファン７が支持板８を介して筐体２に支持されている。この支持板８の上方には、保水性の高い気液接触部材５が、図３に示すように斜めに配置されている。この気液接触部材５と送風ファン７との間には水受皿９が配置され、気液接触部材５の上方には、横長の吹出口４が配置されている。
【００１１】
気液接触部材５の傾斜角θは、図３に示すように、３０°以上であることが望ましい。それ以下の傾斜角θの場合、滴下した電解水が、気液接触部材５の傾斜に沿って流れず、下方に落下する。また、傾斜角θが９０°に近づいた場合、気液接触部材５を通過する送風経路が水平に近くなり、その分だけ上方への吹き出しが困難になる。この吹き出し方向を水平に近付けた場合、吹き出し空気を遠くに送風できなくなり、後述するように、大空間の除菌に適した装置とならない。傾斜角θは、８０°＞θ＞３０°が好ましく、さらに好ましくは、７５°＞θ＞５５°であり、本構成では約５７°である。
【００１２】
気液接触部材５の下方には、図２に示すように、水受皿９が配置され、この水受皿９には、給水タンク支持皿１０が連接されている。この給水タンク支持皿１０には、当該支持皿１０内に塩素イオンを含む水道水を供給する給水タンク１１と、循環ポンプ１３とが配置されている。この循環ポンプ１３には電解槽３１が接続されている。
【００１３】
電解槽３１は、水受皿９及び給水タンク支持皿１０より上方に配置され、電解槽３１には循環ポンプ１３が運転を開始すると、給水タンク支持皿１０から吸い上げられた水が貯留され、循環ポンプ１３が運転を停止すると、電解槽３１内の水は重力により給水タンク支持皿１０に自然落下し、電解槽３１が空になる。
【００１４】
この電解槽３１には、図４に示すように、一方が正、他方が負となる対の電極３２、３３を交互に備え、電極３２、３３は、通電された場合、電解槽３１に流入した水道水を電気分解して活性酸素種を生成させる。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次ハロゲン酸等といった、いわゆる広義の活性酸素を含めたものとする。電解槽３１は、気液接触部材５に接近して配置され、水道水を電気分解して生成された活性酸素種を、ただちに気液接触部材５に供給できるように構成される。
【００１５】
電極３２、３３は、例えばベースがＴｉ（チタン）で皮膜層がＩｒ（イリジウム）、Ｐｔ（白金）から構成された電極板であり、この電極３２、３３に流れる電流値は、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００１６】
詳述すると、上記電極３２、３３により水道水に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩素イオン（水道水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００１７】
従って、電極３２、３３に通電することにより、殺菌力の大きいＨＣｌＯ（次亜塩素酸）を発生させ、この次亜塩素酸が供給された気液接触部材５に空気を通過させることにより、この気液接触部材５で雑菌が繁殖することを防止でき、空気中に浮遊するウィルスを不活化することができる。また、空気中の臭気も気液接触部材５を通過する際に、次亜塩素酸と反応し、イオン化して溶解するので、空気が脱臭される。
【００１８】
図５に気液接触部材５の分解斜視図を示す。気液接触部材５は、通風する空気の上流側に配置される第１接触部材６０と下流側に配置される第２接触部材７０とを備え、これら第１接触部材６０と第２接触部材７０とを縦並びに配置した二層構造を有している。なお、この図では、第１接触部材６０と第２接触部材７０との間隔を離して図示しているが、実際の気液接触部材５では、第１接触部材６０と第２接触部材７０との間隔はほとんどない。
第１接触部材６０は、ピッチｐ１で波状に屈曲する波状部材６１と仕切部材６２とを交互に横並びに積層しており、波状部材６１と仕切部材６２との間に略三角形状の複数の孔部６３を横並びに形成する。
また、第２接触部材７０は、第１接触部材６０と同様に、ピッチｐ２で波状に屈曲する波状部材７１と仕切部材７２とを交互に横並びに積層しており、波状部材７１と仕切部材７２との間に略三角形状の複数の孔部７３を横並びに形成する。
【００１９】
第１接触部材６０と第２接触部材７０とは、送風ファン７から送風された空気が、第１接触部材６０、第２接触部材７０の順に通風するように配置される。ここで、波状部材７１のピッチｐ２は、波状部材６１のピッチｐ１よりも大きく、孔部７３の大きさは孔部６３の大きさよりも大きい。このため、気液接触部材５における空気の通風孔は、孔部６３から孔部７３に流入する位置でステップ状に大きくなる。
【００２０】
上記波状部材６１、７１及び仕切部材６２、７２は、電解水が浸透する繊維素材により形成されている。第１接触部材６０及び第２接触部材７０の上縁部には、電解水供給管１７に形成された多数の散水孔（図示せず）から吐出される電解水が滴下する。この滴下した電解水は波状部材６１、７１及び仕切部材６２、７２の隅々に浸透する。
【００２１】
ここで、波状部材６１、７１及び仕切部材６２、７２の素材には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）またはセラミックス系材料等の素材が使用され、本構成では、ＰＥＴ樹脂が使用されている。なお、電解水は防かび性を発揮するため、気液接触部材５には防かび剤の塗布が不要である。
【００２２】
次に、図６を参照して、床置き式空気除菌装置１の空気除菌時の動作を説明する。なお、この図においても図５と同様に、第１接触部材６０と第２接触部材７０との間隔を離して図示している。
ユーザが、操作蓋２Ｄ（図１参照）を開くと、図示を省略した操作パネルが内側に設けられており、この操作パネルを操作することで、床置き式空気除菌装置１の運転が開始される。運転が開始されると、循環ポンプ１３が駆動され、給水タンク支持皿１０に溜まった水道水が、電解槽３１に供給される。
この電解槽３１では、電極３２、３３への通電により、水道水が電気分解されて活性酸素種を含む電解水が生成される。この電解水は、電解水供給管１７の散水孔（図示せず）を経て、気液接触部材５の上縁部に滴下し、この上縁部から下方に向けて徐々に浸透する。
【００２３】
気液接触部材５の下縁部から滴下した電解水は、水受皿９が受けて、水受皿９の一端側の傾斜面により給水タンク支持皿１０内に流入し、そこに貯留される。本構成では、水が循環式となっており、蒸発等により水量が減った場合、給水タンク１１（図２参照）内の水道水が、給水タンク支持皿１０に適量供給される。この給水タンク１１は、開閉蓋２Ｅ（図１参照）を開いて取り出し自在に配置され、この給水タンク１１を取り出して水道水の補給が可能となる。
【００２４】
電解水が浸透した気液接触部材５には、送風ファン７を経て、矢印Ｘで示すように、室内の空気が供給される。この室内の空気は、気液接触部材５に浸透した電解水中の活性酸素種に接触して或いは近傍を通過して、再び、室内に吹き出される。この活性酸素種は、ウィルス、花粉及びダニのフンや死骸等のアレルギー物質を抑制する機能を持ち、例えば、空気中にインフルエンザウィルスが浮遊した場合、その感染に必須の当該ウィルスの表面蛋白（スパイク）を破壊、消失（除去）し、これを破壊すると、インフルエンザウィルスと、当該ウィルスが感染するのに必要な受容体（レセプタ）とが結合しなくなり、これによって感染が阻止される。実証試験の結果、インフルエンザウィルスが浮遊した空気を、本構成の気液接触部材５に通した場合、当該ウィルスを９９％以上除去できることが判明した。このように、電解槽３１、気液接触部材５、循環ポンプ１３は、空気除菌機構１２を構成している。
【００２５】
図７は、気液接触部材５の縦断面図を示す図である。
気液接触部材５は、第２接触部材７０の波状部材７１のピッチＰ２が、第１接触部材６０の波状部材６１のピッチＰ１よりも大きく形成されているため、空気が通風する気液接触部材５の通風孔は、上流側の孔部６３から下流側の孔部７３へとステップ状に大きくなる。これにより、気液接触部材５に送風された空気は、矢印Ｆ２に示すように、孔部６３を略層流の状態で流れ、孔部６３から孔部７３に流れるときに通風孔が急激に拡大して渦が発生すると共に、孔部７３内を乱流の状態で流れる。従って、空気が気液接触部材５に浸透した電解水に接触あるいは近傍を通過する距離及び時間が長くなる、すなわち、空気と気液接触部材５との接触効率が向上する。
【００２６】
以上説明したように、本実施の形態によれば、気液接触部材５の通風孔が、上流側の孔部６３から下流側の孔部７３へとステップ状に大きく形成されるため、通風孔内で乱流を生じさせることができ、空気と気液接触部材５との接触効率を向上させることができる。これにより、本構成では、従来の気液接触部材の通風孔が単に一定のものに比べて、奥行を抑えつつ、十分な空気除菌効果（無害化効果を含む）を得ることが可能である。
言い換えれば、本構成では、気液接触部材の奥行を延ばしたり、通風孔を小さくして接触面積を拡大する方法を採用することなく、十分な空気除菌効果（無害化効果を含む）を得ることが可能である。
しかも、本構成では、上記乱流を生じさせる通風孔を、波状部材のピッチが異なる第１接触部材６０と第２接触部材７０とを縦並びに配置して形成したので、この通風孔を横並びに配置した気液接触部材５を容易に製作することが可能である。
【００２７】
以上、一実施形態に基づいて本発明を説明したが、本発明は、これに限定されるものではない。例えば、活性酸素種としてオゾン（Ｏ3）や過酸化水素（Ｈ2Ｏ2）を発生させる構成としても良い。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応によりＯ2-が生成したＯ2-と溶液中のＨ+とが結合して、過酸化水素（Ｈ2Ｏ2）が生成される。
【００２８】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる濃度に調整し、この濃度の電解水が供給された気液接触部材５に空気を通過させることにより、空気中に浮遊する対象ウィルス等を不活化することができる。また、臭気も気液接触部材５を通過する際に、電解水中のオゾンまたは過酸化水素と反応し、イオン化して溶解することで、空気中から除去され、脱臭される。
【００２９】
上記実施形態では、気液接触部材５を第１接触部材６０と第２接触部材７０とによる二層構造としたが、これに限定されず、例えば、三層構造や四層構造等、その他の層数の構造であってもよい。この場合、例えば、気液接触部材５の孔部の中流を構成する波状部材の屈曲するピッチを、上流側と下流側とを構成する波状部材の屈曲するピッチよりも大きくし、中間層の孔部の大きさのみを大きくする構成であってもよい。また、多層構造に限らず、一層構造でもよく、要は、通風方向のいずれかの位置でその大きさが変化する孔形状を備えた構造にすれば、乱流を発生可能である。
上記実施形態では、波状部材６１、７１と仕切部材６２、７２とを交互に横並びに積層したが、これに限定されず、例えば、波状部材のみを横並びに積層してもよい。
【図面の簡単な説明】
【００３０】
【図１】本発明の一実施形態を示す斜視図である。
【図２】内部構成を示す斜視図である。
【図３】筐体の縦断面図である。
【図４】電解槽の構成図である。
【図５】第１接触部材及び第２接触部材の斜視図である。
【図６】空気除菌機構を示す系統図である。
【図７】気液接触部材の断面図である。
【図８】従来技術による気液接触部材の断面図である。
【符号の説明】
【００３１】
１  床置き式空気除菌装置（空気除菌装置）
５  気液接触部材
１２  空気除菌機構
６０  第１接触部材
６１、７１  波状部材
６３、７３  孔部
７０  第２接触部材
【図１】
2007222543.tif 000003
【図２】
2007222543.tif 000004
【図３】
2007222543.tif 000005
【図４】
2007222543.tif 000006
【図５】
2007222543.tif 000007
【図６】
2007222543.tif 000008
【図７】
2007222543.tif 000009
【図８】
2007222543.tif 000010